(57)【特許請求の範囲】
【請求項１】
鋼板を折曲して、壁部と壁部を挟んで向い合うナット保持片とからなる断面ほぼコ字状のナット収納金具と、鋼板を折曲して形成した断面ほぼ凹形状のナット押え金具とからなり、前記ナット収納金具は、壁部の中央にボルト挿通孔が開口され、向い合うナット保持片間の距離はボルトが挿通されるナットの対向辺間の距離よりやや長く、対角線の距離よりやや短く設定されてなるとともに、前記ナット押え金具の断面ほぼ凹形状は、前記ナット収納金具にナットを収納したとき軸直角方向を閉塞し、かつ、抜け落ちない形状であることを特徴とするナット保持金具。
【発明の詳細な説明】
【技術分野】
【０００１】
本発明は、被取り付け体と取り付け体たとえば本体と部品とをボルトとナットで締結するに当たり、締結個所が手の届かない場所であるときに非常に便利なナット保持金具に関する。
【背景技術】
【０００２】
一般に、鋼製の構築物や建築物の専用材料において、被取り付け体に取り付け体を組み付ける時、予め、一方にボルト挿通孔を形成し、他方を取り付ける面の反対面に、ボルトのボルト頭又はナットを溶接により固着しておき、他方側からナット又はボルトにより締結する方法がとられている。
【０００３】
この方法は、予め、他方を組み付ける一方のたとえば壁体の裏面や箱体の内面等にボルトのボルト頭やナットを固着しておく方法なので、該場所に手が届かない又は手を入れることができなくとも互いに対となる締結用のナットやボルトを用いて本体に部品を組み付けることができる。
【発明の概要】
【発明が解決しようとする課題】
【０００４】
しかしながら、かかる方法において、ボルト又はナットを溶接固着した本体をメッキ処理する場合に幾つかの課題を有する。
【０００５】
一つは、ボルトのボルト頭又はナットを溶接固着した被取り付け体又は取り付け体をメッキ処理するとボルト又はナットに形成されているねじはつぶれてしまうという課題である。そのためメッキ後にタップ立て又はダイス立てを行う必要があり、特にボルトやナットが大型のときは、相当の手間暇を掛けなければならない。また、タップ立て又はダイス立てをすることによりメッキ部分の剥離が生じローバル仕上げ等が必要となる。
【０００６】
もう一つは、ボルトのボルト頭やナットのねじをつぶさないようにするため、メッキ処理した後に、ボルト頭やナットの溶接固着するようにすると、メッキ後の溶接は実際には難しく、溶接しても溶接の強度が出ず、取れやすい。そのため溶接部のローバル仕上げが必要となる。
【０００７】
また、ボルトのボルト頭又はナットとは、互いに固着されていないと、メッキ処理の要否にかかわらず、締結用のナット又はボルトを用いて締結した時、ボルト又はナットはとも回りしてしまう欠点がある。
【課題を解決するための手段】
【０００８】
本発明は、このような課題を解決するとともに、汎用的に利用することのできるナット保持金具を提供するものである。
【０００９】
詳しくは、鋼板を折曲して、壁部と壁部を挟んで向い合うナット保持片とからなる断面ほぼコ字状のナット収納金具と、鋼板を折曲して形成した断面ほぼ凹形状のナット押え金具とからなり、前記ナット収納金具は、壁部の中央にボルト挿通孔が開口され、向い合うナット保持片間の距離はボルトが挿通されるナットの対向辺間の距離よりやや長く、対角線の距離よりやや短く設定されてなるとともに、前記ナット押え金具の断面ほぼ凹形状は、前記ナット収納金具にナットを収納したとき軸直角方向を閉塞し、かつ、抜け落ちない形状であることを特徴とするナット保持金具を提供することで解決する。
【発明の効果】
【００１０】
本発明はつぎのような効果を有する。
【００１１】
このナット保持金具は、ナット収納金具にナットを収納して、壁体の裏面や箱体の内面等の手の届かないところに固着すればよいので、手の届かない又は手を入れることができなくても互いに対となる締結用のボルト・ナットを用いて、被取り付け体と取り付け体を組み付けることができる。
【００１２】
ボルト挿通孔を開口した挿通壁と両端方を折曲したナット保持片とからなるナット収納金具と、凹形状に屈曲させたナット押え金具とからなるので、ナット収納金具の一対の保持片をそれぞれのナット保持片が上下になるようにしてその端面を、鋼製の被取り付け体又は取り付け体に溶接して取り付けた後、ナット保持片間にナットを収納し、ナット保持片の両端からナット押え金具で挟み込むことにより、被取り付け体と取り付け体とのボルト・ナットによる締結個所にナットを位置させることができる。
【００１３】
ナット収納金具の向い合う一対のナット保持片の距離は、ボルトが挿通されるナットの対向辺間の距離よりやや長く、対角線よりやや短い距離としたので、ボルトが挿通されて、ボルトを回転しても、回転によるナットのとも回りを防止できる。
【００１４】
被取り付け体や取り付け体にナット収納金具が取り付けられて、これらがメッキされても、その後にナットを収納金具に位置させるので、メッキによるナットの機能を減少させることはない。
【図面の簡単な説明】
【００１５】
【図１】図１はナット収納金具の正面図である。
【図２】図２は図１の側面図である。
【図３】図３はナット押え金具の正面図である。
【図４】図４は図３の側面図である。
【図５】図５はナット収納金具とナット押え金具とからなるナット保持金具にナットをセットする手順を示す正面図である。
【図６】図６は図５の断面側面図である。
【図７】図７はナット収納金具とナット押え金具とからなるナット保持金具にナットをセットする手順を示す正面図である。
【図８】図８は図７の断面側面図である。
【図９】図９はナット保持金具の使用の具体例を示す正面図である。
【図１０】図１０は図９のＡ−Ａ断面図である。
【発明を実施するための形態】
【００１６】
本発明を実施するための一形態を図面に基づき説明する。
【００１７】
本発明に係るナット保持金具は、ナット収納金具１とナット押え金具２とからなる。
【００１８】
ナット収納金具１は、図１及び図２に示すように、鋼板の上下両端方を断面ほぼコ字状に折曲して、ボルト挿通孔１ａが形成された壁部１ｂと折曲された上下一対のボルト保持片１ｃ、１ｃとからなり、保持片１ｃ、１ｃの向い合う距離は、ボルトが挿通されるナットの対向辺の距離よりやや長く、対角線の距離よりもやや短い距離に設定する。
【００１９】
ナット押え金具２は、図３及び図４に示すように、鋼板好ましくはばね鋼板を折曲して底部２ａと底部２ａを挟む両側２ｂにより、断面ほぼ凹形状にしてなり、底部２ａはナット収納金具１のナット保持片１ｃ、１ｃのナットの転り方向の長さとほぼ同じ長さ、両側２ｂ、２ｂは立ち上がり上方にかけてナット収納金具１にナットが収納されたとき、ナットを押えることのできるように、また、収納金具１から抜け落ちないように、内側に向けて狭くなるように、また、その上方を底部２ａと同程度又はそれ以上の広がりに形成してある。
【００２０】
図５、図６、図７及び図８は、本発明に係るナット保持金具を取り付け体又は被取り付け体に設置する手順の一例を示す。
【００２１】
まず、図５及び図６に示すように、ナット収納金具１を取り付け体４の壁部に上下一対のナット保持片１ｃ、１ｃの端面を介して溶接８により固着する。このとき、ナット収納金具１の壁部１ｂに形成されているボルト挿通孔１ａと取り付け体４に形成されているボルト挿通孔４ａと合致するようにする。
【００２２】
ついで、ナット収納金具１に、その側部よりナット３を押し入れ、下方より図５乃至図８に示すようにナット押え金具２を装着する。
【００２３】
ナット押え金具を装着することにより、ナット３は転り方向への滑りは防止され、ナット保持金具に保持される。
【００２４】
つぎに、被取り付け体である本体と取り付け体である部材とに本発明に係るナット保持金具を用いた一例を図９及び図１０に示す。
【００２５】
図９及び図１０において、５は被取り付け体である鋼製地覆又は鋼製高欄、６は取り付け体である内部部材であって、被取り付け体５と取り付け体６はそれぞれのボルト挿通孔を介してボルト・ナットにより締結される。
【００２６】
被取り付け体５と取り付け体６にはそれぞれボルト挿通孔（図には明示してない）が穿孔してある。
【００２７】
取り付け体６には、被取り付け体５の合せ面と反対面にナット３を収納したナット収納金具１とナット押え金具２とからなるナット保持金具１０が溶接８により固着されている。
【００２８】
被取り付け体５と取り付け体６とは、それぞれのボルト挿通孔とナット３のねじ穴が直線になるように合せ、被取り付け体５の外面から、ナット３をボルト挿通孔５ａ、６ａに挿通し、ナット保持金具１０に収納されているナット３に螺合して締結し、全体として一体となる。
【００２９】
このとき、ボルト７を回転させてもナット保持金具１０に収納されているナット３は回転不可能となっているのでとも回りすることはない。
【００３０】
本発明は、以上のようにして構成されているので、締結される被取り付け体又は取り付け体の一方に手の入らない場所があっても、一方にナット保持金具を固着することで、締結作業を容易に行うことができる。
【００３１】
また、被取り付け体又は取り付け体をメッキするさいに、ナット収納金具のみが固着されており、ナットはその後に装着すればよいので、これまでのようにナット又はボルトを予め固着しておくのとは異なり、メッキによる不都合は生じない。
【００３２】
なお、本発明は、上記した実施の形態に限定されるものでないことはもちろんである。
【符号の説明】
【００３３】
１    ナット収納金具
１ａ  ボルト挿通孔
１ｂ  壁部
１ｃ  ナット保持片
２    ナット押え金具
２ａ  底部
２ｂ  側部
３    ナット
４    取り付け体
４ａ  ボルト挿通孔
５    被取り付け体
６    取り付け体
７    ボルト
８    溶接
１０  ナット保持金具
【図１】
0005401492.tif 000002
【図２】
0005401492.tif 000003
【図３】
0005401492.tif 000004
【図４】
0005401492.tif 000005
【図５】
0005401492.tif 000006
【図６】
0005401492.tif 000007
【図７】
0005401492.tif 000008
【図８】
0005401492.tif 000009
【図９】
0005401492.tif 000010
【図１０】
0005401492.tif 000011